(57)【要約】【課題】最終処理後の覆土表面のうち雨水が浸透する面積比率の調整により、雨水の浸透量を簡単に調節する。【解決手段】廃棄物処分場１０において、埋立完了した廃棄物１４の上面に、処分場１０の中央から周縁に至るにつれて傾斜する勾配の最終覆土１６を施し、覆土１６上を遮水シート２０で覆うとともに、遮水シート２０に所定の開口率で複数のスリットないし小孔２２を開け、該スリットないし小孔２２を通じて遮水シート２０上に降注ぐ降雨の一部を覆土１６を通じて廃棄物１４内に浸透させる。【選択図】　　　図２
2004073908.tif 000002
【特許請求の範囲】
【請求項１】
廃棄物処分場において、埋立完了した廃棄物の上面に、中央から周縁に至るにつれて傾斜する勾配の最終覆土を施し、覆土上を遮水シートで覆うとともに、遮水シートに所定の開口率で複数のスリットないし小孔を開け、該スリットないし小孔を通じて遮水シート上に降注ぐ降雨の一部を前記覆土を通じて廃棄物内に浸透させることを特徴とする廃棄物処分場における雨水浸透調節方法。
【請求項２】
前記スリットないし小孔の上面を浸透量調整用の蓋で覆うようにしたことを特徴とする請求項１に記載の廃棄物処分場における雨水浸透調節方法。
【請求項３】
前記盛土と遮水シートの間に導水材を敷設介在させたことを特徴とする請求項１または２に記載の廃棄物処分場における雨水浸透調節方法。
【請求項４】
前記盛土の頂部から周縁に至る畝状に連続する複数の山部及び谷部を放射形成して、前記遮水シートで盛土を覆った後、前記谷部に沿って雨水浸透排水管を配置し、その端部を処分場周縁に配置された排水溝に連通さるたことを特徴とする請求項１〜３のいずれかに記載の廃棄物処分場における雨水浸透調節方法。
【発明の詳細な説明】
【０００１】
【発明の属する技術分野】
本発明は、埋立を終えた廃棄物処分場に対して、雨水による浸透調節を行う方法に関する。
【０００２】
【従来の技術】
大規模な管理型廃棄物最終処分場において、屋根がない場合には、廃棄物の埋立中、雨水は全て埋立地に入り、蒸発分以外は全て汚水分である浸出水となり、浸出水量の処理などの管理ができなくなるため、埋立中は埋立地に屋根などの被覆施設を設けることが多く行われてきた。
【０００３】
ところで、廃棄物の安定化のためには、適度の雨水が必要であるため、撒水により水量を調整していた。つまり、廃棄物の生物学的分解のためには、適度な水を常に供給することが必要であるためである。
【０００４】
ところが、埋立完了後においては、最終覆土を行うことで、撒水調節ができなくなってしまうため、従来では例えば特開２００２−１１３４７３号公報に示すごとく、廃棄物表面に浸透調整シートを敷設し、その上部に浸透調整盛土を施工している。
【０００５】
浸透調整盛土は、粒度分布が管理された土砂を所定の排水勾配で盛立て、この際に安定処理及び締固めを管理することで透水係数が管理され、この透水係数と排水勾配のバランスにより、浸透調整盛土を通過する雨水量を決めている。
【０００６】
【発明が解決しようとする課題】
しかしながらこの方法では、一旦施工した後は、通過水量を調整することは容易ではなかった。また、自然降雨量は年間平均すると各地方で毎年ほぼ同じであるが、浸透量についてはその量的予測がつきにくいものであるため、埋立後の水処理施設の規模を決定するのには不便であった。
【０００７】
本発明は、以上の課題を解決するためになされたものであって、その目的は、最終処理後の覆土表面のうち雨水が浸透する面積比率の調整により、雨水の浸透量を簡単に調節できるようにした廃棄物処分場における雨水浸透調節方法を提供するものである。
【０００８】
【課題を解決するための手段】
前記目的を達成するため、本発明方法は、廃棄物処分場において、埋立完了した廃棄物の上面に、中央から周縁に至るにつれて傾斜する勾配の最終覆土を施し、覆土上を遮水シートで覆うとともに、遮水シートに所定の開口率で複数のスリットないし小孔を開け、該スリットないし小孔を通じて遮水シート上に降注ぐ降雨の一部を前記覆土を通じて廃棄物内に浸透させることを特徴とするものである。従って、本発明方法にあっては、シートの開口率に応じて浸透調整を行うことができる。
【０００９】
請求項２に記載の発明では、前記スリットないし小孔の上面を浸透量調整用の蓋で覆うようにしたことにより、施工後において、雨量の過小、過多に応じて蓋を開閉するだけで雨水の浸透調整を行うことができる。
【００１０】
請求項３に記載の発明では、前記盛土と遮水シートの間に導水材を敷設介在させたことにより、シートの開口を通じて内部取入れられた雨水は導水材により均一に拡散されつつ覆土内に浸透するため、各部に対する雨水浸透が均一化する。
【００１１】
請求項４に記載の発明では、前記盛土の頂部から周縁に至る畝状に連続する複数の山部及び谷部を放射形成し、前記遮水シートで盛土を覆った後、前記谷部に沿って雨水浸透排水管を配置し、その端部を処分場周縁に配置された排水溝に連通させることにより、浸透に必要な水分量以外は速やかに処分場外に排出することができる。
【００１２】
【発明の実施の形態】
以下、本発明の好ましい実施の形態につき、添付図面を参照して詳細に説明する。
【００１３】
図１〜図３は、本発明方法を適用した廃棄物処分場の跡地を示す。この廃棄物処分場１０は、円筒形の隔壁１２で囲われた敷地内部に廃棄物１４が埋立られており、敷き均しなどにより整地された埋立廃棄物１４の上面全体を最終覆土層１６によって覆い、さらにその表面を導水材シート１８を介して遮水シート２０が敷設されている。
【００１４】
覆土層１６は、図２に示すように、前記処分場１０の円中心を頂部として所定勾配で山形に盛立てられ、また、その山形頂部から周縁に向けて図１、３に示すように山部１６ａと谷部１６ｂが畝状に連続して放射形成され、その面に沿って前記導水材シート１８、遮水シート２０を敷設することで、覆土層１６全体を覆っている。
【００１５】
そして遮水シート２０には、各山部１６ａの頂部稜線に沿って複数のスリット、すなわち開口溝２２が放射状に形成され、その開口内部を前記覆土層１６に連通させている。
【００１６】
また谷部１６ｂには遮水シート２０上に雨水浸透排水管２４が放射状に配管され、その端部を隔壁１２の周囲に形成された排水溝２６に連通させている。
【００１７】
雨水浸透排水管２４は、多孔管２４ａの周囲を透水性の砂礫２４ｂで覆ったものであり、その重し効果によって遮水シート２０を安定的に固定する機能と、降雨時において、図３に矢印で示すように、谷部１６ｂに流下した雨水を集水し、排水溝２６側に速やかに放流する機能を兼用している。
【００１８】
前記導水材１８は例えば不織布などの通水性素材からなるもので、降雨により開口溝２２内に降注いだ雨水は、まず導水材２６に浸透拡散し、この状態で覆土層１６を通じて下部側の廃棄物１４内に順次浸透供給されることにより、各部均一な浸透供給を可能としている。
【００１９】
図４は前記開口溝２２の詳細構造を示すものであり、この開口溝２２内には連続気泡性材料、あるいは多孔板からなる雨水浸透Ｕ字管２８が埋設され、その端部を前記排水溝２６に連通させている。
【００２０】
このＵ字管２８は、遮水シート２０の開口縁の保持と、降雨時における過度な雨水の流入を防止する機能とを兼用し、Ｕ字管２８の多孔内部を通じて覆土層１６内に雨水を浸透させ、かつ過剰な水は流下させて排水溝２６内に放流するものであり、その上部開口の両側に設けたフランジ２８ａにより前記遮水シート１８の開口縁を固定している。
【００２１】
さらに、開口内側に設けた段部２８ｂに蓋板３０を脱着可能に取付け、必要に応じて開口溝２０の開口面積を増減できるようにしている。
【００２２】
したがって、降雨量が少ない場合には、蓋板３０を外しておけば、適度な降雨により、開口溝２２を通じてのみ雨水が廃棄物１４の内部に取入れられる。また過度な降雨があった場合には、余剰水はＵ字管２８内に浸透する間もなく流下し、過剰な水が廃棄物１４の内部に浸透するのを防止する。
【００２３】
また、長時間豪雨時などにおいては蓋板３０を閉じるなどの処置を講ずることで過剰水の取入れを防止できることになる。
【００２４】
なお前記実施形態では、畝状に放射形成された山部の頂部稜線に沿って開口溝を形成したが、所定間隔で小孔を形成し、各小孔の上面を蓋板で開閉可能に覆う構成とすることも可能である。
【００２５】
【発明の効果】
以上の説明により明らかなように、本発明による廃棄物処分場における雨水浸透調節方法によれば、最終処理後の覆土表面のうち雨水が浸透する面積比率を調整することで、雨水の浸透量を簡単に調整できる。
【図面の簡単な説明】
【図１】本発明方法を適用した廃棄物処分場の平面図である。
【図２】図１のＡ−Ａ線断面図である。
【図３】図１のＢ−Ｂ線断面図である。
【図４】図３のＣ部拡大断面図である。
【符号の説明】
１０　廃棄物処分場
１２　隔壁
１４　埋立廃棄物
１６　最終覆土
１６ａ　山部
１６ｂ　谷部
１８　導水材シート
２０　遮水シート
２２　開口溝
２４　雨水浸透排水管
２６　排水溝
２８　雨水浸透Ｕ字管（開口溝）
３０　蓋板
【図１】
2004073908.tif 000003
【図２】
2004073908.tif 000004
【図３】
2004073908.tif 000005
【図４】
2004073908.tif 000006